(57)【要約】    【課題】  最下部に、物品の出し入れ、特に先入れ先出しが容易な収納部材を備えた台所用家具を提供する。    【解決手段】  システムキッチンを構成するキャビネット２３の最下部に、前方に引き出して使用されるフロアラック３６を備える。その場合、フロアラック３６の前板３７を、下部ほど後退する方向に傾斜させる。そして、フロアラック３６の底板４１を、前方ほど低くなるようにキャビネット２３の水平な底板３３に対して角度αだけ傾斜させると共に、その前端をキャビネット２３の底板３３より前方に突出させる。【選択図】    図４
2005245573.tif 000002
【特許請求の範囲】
【請求項１】
フロアに設置される台所用家具であって、少なくとも前板と底板とを有し、前方に引き出されて使用される収納部材が最下部に備えられ、かつ、該収納部材の底板は、前方ほど低くなるように傾斜していることを特徴とする台所用家具。
【請求項２】
収納部材の前板は、台所用家具本体の前面より後退していることを特徴とする請求項１に記載の台所用家具。
【請求項３】
収納部材の前板は、台所用家具本体の前面より突出しない位置から、下部ほど後退する方向に傾斜していることを特徴とする請求項１に記載の台所用家具。
【請求項４】
台所用家具本体の底板の前端は該本体の前面より後退しており、収納部材の底板の前端は、上記台所用家具本体の底板より前方に突出していることを特徴とする。請求項１から請求項３のいずれかに記載の台所用家具。
【請求項５】
収納部材の底板の物品載置面は、物品との摩擦低減用突起が設けられていることを特徴とする請求項１から請求項４のいずれかに記載の台所用家具。
【発明の詳細な説明】
【技術分野】
【０００１】
本発明は、システムキッチンのキャビネット等、フロアに設置される台所用家具の技術分野に属する。
【背景技術】
【０００２】
従来、システムキッチンのキャビネット等、フロアに設置される台所用家具には、その最下部に収納部材として引出しが備えられ、物品の収納が可能となっているものがある。例えば、特許文献１には、図１２に示すように、キッチンキャビネットＡの最下部に、引出しＢが備えられた構成が開示されている。この引出しＢは、キッチンキャビネットＡの水平な底板Ａ１に平行な底板Ｂ１と、該底板Ｂ１から起立する左右側板（一方のみ図示）Ｂ２，Ｂ２及び前後板Ｂ３，Ｂ４とを有している。そして、左右側板Ｂ２，Ｂ２の外面に設けられた図示しないスライドローラと、キッチンキャビネットＡの左右側板（一方のみ図示）Ａ２，Ａ２の内面に設けられたスライドレールとの嵌合を介して矢印方向にスライド自在とされ、物品Ｗ…Ｗを出し入れすることができるようになっている。
【０００３】
なお、特許文献２には、前方あるいは後方ほど低くなるように傾斜すると共に取り外し可能な棚が備えられた冷蔵庫キャビネットが開示されている。そして、特許文献３には、電気機器や電子機器等の部品を収容したボックスを、斜め下方に引き出して使用する構成の部品収容棚が開示されている。
【０００４】
【特許文献１】特開２０００−２３６９６４号公報
【特許文献２】特開２００２−５５６７号公報
【特許文献３】特開２００２−１９９３０号公報
【発明の開示】
【発明が解決しようとする課題】
【０００５】
ところで、特許文献１に記載のキッチンキャビネットＡでは、引出しＢの底板Ｂ１は水平であるので、収納した物品Ｗ…Ｗは安定するものの、物品Ｗを取り出した跡には空間が形成されるだけである。したがって、例えば空間が形成される都度、収納した物品Ｗ…Ｗを前方に集合させない限り、後方に収納した物品Ｗを取り出すには、引出しＢのほぼ全体を引き出さねばならず、面倒であると共に周辺の邪魔になることがある。
【０００６】
また、前方に空間がある場合、物品Ｗをこの空間に収納しがちとなると共に、取り出すときも、引出しＢを前方に大きく引き出すのが面倒であるとの理由から、前方の物品Ｗを取り出しがちとなる。したがって、後方に収納した物品Ｗは、いつまでもその位置で収納されがちとなり、例えば、先入れ先出しが望まれる物品Ｗの収納には適さないことがある。
【０００７】
なお、特許文献２及び特許文献３に記載の発明は、部分的には以降に詳述する本発明に関連するところがあるかも知れないが、前述したように、本発明とは技術分野が異なっており、本発明が対象とする台所用家具に適用することができるものではない。
【０００８】
そこで、本発明は、以上の現状に鑑み、最下部に、物品の出し入れ、特に先入れ先出しが容易な収納部材を備えた台所用家具の提供を課題とする。
【課題を解決するための手段】
【０００９】
上記課題を解決するため、本発明は次のように構成したことを特徴とする。
【００１０】
まず、請求項１に記載の発明は、フロアに設置される台所用家具に関するもので、少なくとも前板と底板とを有し、前方に引き出されて使用される収納部材が最下部に備えられ、かつ、該収納部材の底板は、前方ほど低くなるように傾斜していることを特徴とする。
【００１１】
次に、請求項２に記載の発明は、上記請求項１に記載の台所用家具において、収納部材の前板は、台所用家具本体の前面より後退していることを特徴とする。
【００１２】
また、請求項３に記載の発明は、上記請求項１に記載の台所用家具において、
収納部材の前板は、台所用家具本体の前面より突出しない位置から、下部ほど後退する方向に傾斜していることを特徴とする。
【００１３】
また、請求項４に記載の発明は、上記請求項１から請求項３のいずれかに記載の台所用家具において、台所用家具本体の底板の前端は該本体の前面より後退しており、収納部材の底板の前端は、上記台所用家具本体の底板より前方に突出していることを特徴とする。
【００１４】
そして、請求項５に記載の発明は、上記請求項１から請求項４のいずれかに記載の台所用家具において、収納部材の底板の物品載置面は、物品との摩擦低減用突起が設けられていることを特徴とする。
【発明の効果】
【００１５】
まず、請求項１に記載の発明によれば、収納部材の底板を、前方ほど低くなるように傾斜させているので、収納した物品には前方に移動しようとする力が作用するようになる。したがって、物品を取り出すことによって空間が形成されたとしても、この空間より後方の物品が前方に移動して集合するようになる。その結果、収納部材のほぼ全体を引き出さなくても、後方に収納された物品を取り出すことができるようになり、もって物品の出し入れが容易となる。
【００１６】
そして、従来は、前方に空間がある場合、物品をこの空間に収納しがちとなると共に、取り出すときも、前方の物品を取り出しがちとなり、物品の先入れ先出しの点で問題であったが、この発明によれば、前述したように収納物品は前方に集合するので、収納された前方の物品を取り出す一方、新たに収納する物品を後方の空間に収納するようになり、もって先入れ先出しが容易となる。
【００１７】
次に、請求項２に記載の発明によれば、収納部材の前板を台所用家具本体の前面より後退させているので、台所用家具に足元空間を形成することができ、もって快適な作業性が維持されるようになる。さらに、周辺の邪魔にならないように、前板前面に取っ手を設けることができるメリットがある。
【００１８】
一方、請求項３に記載の発明によれば、収納部材の前板を下部ほど後退する方向に傾斜させているので、収納容積を大幅に損なうことなく、台所用家具に足元空間を形成することができるようになる。
【００１９】
また、請求項４に記載の発明によれば、台所用家具本体の底板の前端を該本体の前面より後退させた上で、収納部材の底板の前端を台所用家具本体の底板より前方に突出させているので、この収納部材の底板の前端を上記台所用家具本体の底板の上面より低位置に設定することができる。したがって、収納部材において、例えば長さ寸法や後端部の高さ寸法を維持しつつ、底板の傾斜角を増加させることが可能となり、その結果、収納部材に収納された物品は、前方に一層円滑に移動するようになる。
【００２０】
そして、請求項５に記載の発明によれば、収納部材の底板の物品載置面に、物品との摩擦低減用突起を設けたので、前方ほど低くなるように傾斜した底板上に載置された物品は、前方により一層円滑に移動するようになる。
【発明を実施するための最良の形態】
【００２１】
以下、本発明の第１の実施の形態に係る台所用家具としてのシステムキッチンについて説明する。
【００２２】
図１に示すように、このシステムキッチン１は、フロアに設置されるベースキャビネット１１上にワークトップ１２が載置された構成とされている。
【００２３】
ベースキャビネット１１は、複数の個別キャビネット、つまりこの場合には、シンク用キャビネット２１、調理台用キャビネット２２、及びコンロ用キャビネット２３が並設されたものである。
【００２４】
図２にコンロ用キャビネット２３を一例として示すように、このキャビネット２３は、後板３１と左右側板（一方のみ図示）３２，３２と底板３３とを有し、上面と前面とが開放された箱体である。また、前後方向に水平に延びる底板３３の前端は、このキャビネット２３の前面より後退するように設けられている。また、側板３２，３２の前方かつ下部寄りの箇所に、略逆く字状の切り欠き（一方のみ図示）３２ａ，３２ａがそれぞれ設けられている。そして、キャビネット２３の上面は、ワープトップ１２で覆われていると共に、前面は、上段引出し３４の前板３４ａと中段引出し３５の前板３５ａと下段引出しつまりフロアラック３６の前板３７とで覆われている。
【００２５】
図２及び図３に示すように、フロアラック３６は、キャビネット２３の前面より突出しない位置から、下部ほど後退する方向に傾斜する上記前板３７と該前板３７前面の上部に設けられた取っ手３８とを有し、上下面と後面とが開放された前方の前部ユニット３９と、該前部ユニット３９に一体に結合された後方の本体ユニット４０とを備えている。前板３７の後退度合い、つまり傾斜度合いは、フロアラック３６の収納容積や前板３７の前方に形成される足元空間等のバランスを考慮して設定されている。取っ手３８は、キャビネット２３の前面より突出しないように設けられている。
【００２６】
そして、図例のように、フロアラック３６をキャビネット２３に押し込んで収容したとき、前部ユニット３９は、キャビネット２３の側板３２，３２に設けられた切り欠き３２ａ，３２ａに沿う形状とされている。
【００２７】
本体ユニット４０は、前部ユニット３９の前板３７に対向配置された後板４１と、該後板４１と前部ユニット３９とにわたって設けられた左右側板４２，４２と、該側板４２，４２の上方で後板４１と前部ユニット３９とにわたって架設された左右一対のポール部材４３，４３とを有し、上下面と前面とが開放されている。
【００２８】
また、前部ユニット３９と本体ユニット４０とにわたり、これらの下面を塞ぐ底板４４が設けられている。そして、上面つまり物品載置面が平坦な底板４４は、前方ほど低くなるように傾斜しており、その場合の水平面に対する傾斜角αは、載置する物品の姿勢安定性や滑り移動性等のバランスを考慮して、概ね３〜５°に設定されている。
【００２９】
また、図例のように、フロアラック３６をキャビネット２３に押し込んで収容したとき、フロアラック３６の底板４４の前端は、キャビネット２３の底板３３より前方に突出するように構成されている。
【００３０】
そして、フロアラック３６は、本体ユニット４０の左右側板４２，４２の外面に設けられたスライドレール（図２に一方のみ図示、図３では省略）４５，４５と、キャビネット２３の左右側板３２，３２の内面に設けられたスライドローラ（図２に一方のみ図示、図３では省略）３２ｂ，３２ｂとの嵌合を介し、図２において実線と鎖線とで示すように、前後方向に引き出し自在とされている。ちなみに、図１には、シンク用キャビネット２１において、最下部のフロアラックが引き出された状態が示されている。
【００３１】
なお、コンロ用キャビネット２３に備えられたフロアラック３６の前述した基本的構成は、寸法等の違いこそあれ、他のシンク用キャビネット２１や調理台用キャビネット２２にも概ね共通している。
【００３２】
このように、まず、フロアラック３６の底板４４を、前方ほど低くなるように傾斜させているので、図４に示すように、収納した物品Ｗ…Ｗには矢印で示す前方に移動しようとする力が作用するようになる。したがって、物品Ｗを取り出すことによって空間が形成されたとしても、この空間より後方の物品Ｗ…Ｗが前方に移動して集合するようになる。その結果、フロアラック３６の全体を引き出さなくても、後方に収納された物品Ｗ…Ｗを取り出すことができるようになり、もって物品Ｗ…Ｗの出し入れが容易となる。
【００３３】
そして、従来は、前方に空間がある場合、物品Ｗをこの空間に収納しがちとなると共に、取り出すときも、前方の物品Ｗを取り出しがちとなり、物品Ｗの先入れ先出しが困難であったが、前述したように収納物品Ｗ…Ｗは前方に集合するので、収納された前方の物品Ｗを取り出す一方、新たに収納する物品Ｗを後方の空間に収納するようになり、もって先入れ先出しが容易となる。。
【００３４】
また、フロアラック３６の前板３７を下部ほど後退するように傾斜させているので、収納容積を大幅に損なうことなく、コンロ用キャビネット２３ひいてはシステムキッチン１に足元空間Ｓを形成することができるようになる。
【００３５】
その場合、前板３７の傾斜角と、底板４４のキャビネット２３の水平な底板３３に対する傾斜角αとを適宜調整することにより、両板３７，４４の形成する角度を９０°に近い角度に設定可能であるので、最前方の物品Ｗを前板３７に持たせかけ、該前板３７によっても安定して支持することができるようになるメリットがある。
【００３６】
ここで、コンロ用キャビネット２３の底板３３の前端を該キャビネット２３の前面より後退させた上で、フロアラック３６の底板４４の前端をキャビネット２３の底板３３より前方に突出させた効果について説明する。
【００３７】
すなわち、図５（ａ）に示すように、前後方向の長さＬ及び後端部の高さＨとされたフロアラック３６の底板４４の前端を、キャビネット２３の水平な底板３３より前方に通常の突出量だけ突出させた場合、キャビネット２３の底板３３に対し、フロアラック３６の底板４４は角度αだけ傾斜している。
【００３８】
一方、図５（ｂ）に示すように、キャビネット２３の水平な底板３３Ａを上記図５（ａ）に示した底板３３よりも前方に延長し、該底板３３Ａの前端を、上記長さＬ及び高さＨとされたフロアラック３６Ａの底板４４Ａの前端と略一致するように構成した場合、キャビネットの底板３３Ａに対し、フロアラック３６Ａの底板４４Ａは角度α′だけ傾斜している。
【００３９】
そして、図５（ｃ）に示すように、キャビネット２３の水平な底板３３Ｂを上記図５（ａ）に示した底板３３よりも後方に短縮し、上記長さＬ及び高さＨとされたフロアラック３６Ｂの底板４４Ｂの前端を、キャビネット２３の底板３３Ｂより前方に一層大きい突出量で突出させた場合、キャビネットの底板３３Ｂに対し、フロアラック３６Ｂの底板４４Ｂは角度α″だけ傾斜している。
【００４０】
すなわち、図５（ｂ）に示した構成に比較すると、図５（ａ）さらには図５（ｃ）に示した構成とするほど、フロアラック３６，３６Ｂの底板４４，４４Ｂの前端を、キャビネット２３の底板３３，３３Ｂの上面より低位置に設定することができる。したがって、フロアラック３６，３６Ｂにおいて、例えば長さ寸法Ｌや後端部の高さ寸法Ｈを維持しつつ、底板４４の傾斜角αを底板４４Ａの傾斜角α′より増加させ、また、底板４４Ｂの傾斜角α″を底板４４の傾斜角αより増加させることが可能となり、その結果、フロアラック３６，３６Ｂに収納された物品Ｗ…Ｗは、前方に一層円滑に移動するようになる。
【００４１】
次に、フロアラック３６の底板の変形例について説明する。
【００４２】
まず、図６に示す底板４４Ｃは、上面つまり物品載置面に、前後方向に延びる複数の線状突起４４Ｃ′…４４Ｃ′が設けられている。また、図７に示す底板４４Ｄは、同じく物品載置面に、多数の点状突起４４Ｄ′…４４Ｄ′が設けられている。そして、図８に示す底板４４Ｅは、同じく物品載置面に、前後方向に延びる複数の緩やかな突起４４Ｅ′…４４Ｅ′が設けられている。
【００４３】
このように、これら底板４４Ｃ〜４４Ｅは、物品載置面に突起４４Ｃ′…４４Ｃ′，４４Ｄ′…４４Ｄ′，４４Ｅ′…４４Ｅ′が設けられているので、前述した物品載置面が平坦な底板４４に比較して、載置された物品Ｗとの間の接触面積つまり摩擦が減少することになり、前方ほど低くなるように傾斜した底板４４Ｃ〜４４Ｅ上に載置された物品Ｗは、前方により一層円滑に移動するようになる。
【００４４】
さらに、図９に示す底板４４Ｆは、同じく物品載置面に、前後方向に延びる複数の線状突起４４Ｆ′…４４Ｆ′が設けられた上で、幅方向に適宜間隔で、上記突起４４Ｆ′…４４Ｆ′より高さが高い線状仕切部４４Ｆ″，４４Ｆ″が設けられている。
【００４５】
これにより、載置された例えば円筒状の物品Ｗは、例えば上記仕切部４４Ｆ″とポール部材４３あるいは側板４２とに案内されて軸周りに回転しつつ、前方に安定して移動するようになる。そして、仕切部４４Ｆ″，４４Ｆ″により、物品Ｗが区画されて、前後方向に整列して収納されるようになる。
【００４６】
なお、これら底板４４Ｃ〜４４Ｆの製造方法の一例について説明する。すなわち、例えば樹脂製の底板４４Ｃ〜４４Ｆを製造する場合、加熱した樹脂製の平坦な底板原板を、プレス装置の一対の加熱された金型間に供給し、両金型で挟み付けることにより、所定形状の底板４４Ｃ〜４４Ｆが得られる。また、底板４４Ｃ，４４Ｅ，４４Ｆの場合、上記方法の代わりに、長尺樹脂製品の製造に適している押出成形方法を用い、押し出された長尺製品を適宜寸法に切断して、所定形状の底板４４Ｃ，４４Ｅ，４４Ｆを得るようにしてもよい。
【００４７】
次に、第２の実施の形態に係るシステムキッチンについて説明する。
【００４８】
このシステムキッチンでは、図１０に示すように、コンロ用キャビネット２３Ｇの最下部に備えられたフロアラック３６Ｇの前板３７Ｇは、鉛直方向を向いていると共に、フロアラック３６Ｇをキャビネット２３Ｇに押し込んで収容したとき、キャビネット２３Ｇの前面より後退している。また、前板３７Ｇ前面の適宜位置に、取っ手３８Ｇが設けられている。そして、フロアラック３６Ｇの底板４４Ｇは、前方ほど低くなるように傾斜しており、キャビネット２３Ｇの水平な底板３３Ｇに対する傾斜角は角度αである。
【００４９】
これにより、フロアラック３６Ｇの前板３７Ｇをキャビネット２３Ｇの前面より後退させているので、システムキッチンに足元空間Ｓを形成することができ、もって快適な作業性が維持されるようになる。さらに、周辺の邪魔にならないように、前板３７Ｇ前面に取っ手３８Ｇを設けることができるメリットがある。
【００５０】
次に、第３の実施の形態に係るシステムキッチンについて説明する。
【００５１】
このシステムキッチンでは、図１１に示すように、コンロ用キャビネット２３Ｈの最下部に備える収納部材として、前述したフロアラック３６に代えてワゴン３６Ｈを用いている。そして、ワゴン３６Ｈの前板３７Ｈは、キャビネット２３Ｈの前面より突出しない位置から、下部ほど後退する方向に傾斜しており、該前板３７Ｈ前面の上部に、キャビネット２３Ｈの前面より突出しないように取っ手３８Ｈが設けられている。
【００５２】
また、ワゴン３６Ｈの底板４４Ｈは、前方ほど低くなるように角度βだけ傾斜している。また、キャビネット２３Ｈには底板はなく、ワゴン３６Ｈは、下部の前後左右に備えられた４個のキャスタ（２個のみ図示）４６Ｈ，４６Ｈ，４７Ｈ，４７Ｈを介し、実線と鎖線とで示すように、フロア上を直接移動自在とされている。
【００５３】
説明を省略するが、この場合にも、物品Ｗの出し入れ、特に先入れ先出しが容易なシステムキッチンが実現されるようになる。
【００５４】
なお、本発明は、具現化して説明した幾つかの実施の形態に限定されることはなく、本発明の趣旨に沿うものであればよい。
【００５５】
例えば、上記実施の形態では、底板４４Ｃ〜４４Ｆを樹脂で製造する方法について説明したが、底板４４，４４Ａ〜４４Ｈは、金属製や木製であってもよいし、また、各種材料が複合されたものであってもよい。一例として、図３における平坦な底板４４の上面の矢印Ｐ及び太い鎖線で示す領域に、図６〜図９に示した底板４４Ｃ〜４４Ｆに類似の形態の樹脂製シートを貼り付けて、滑り移動性を向上させる底板を構成してもよい。
【００５６】
また、図２において、前板３７上部を、キャビネット２３の前面より取っ手３８の寸法分だけ後退させていたが、キャビネット２３の前面に面一に構成すると共に、該前板３７前面の適宜の高さ位置に取っ手３８を設けてもよい。
【００５７】
そして、図２において、フロアラック３６は、スライドレール４５とスライドローラ３２ｂとの嵌合を介して引き出し自在とされていたが、例えばタンデムレールを介して引き出し自在としてもよい。
【産業上の利用可能性】
【００５８】
以上説明したように、本発明によれば、最下部に、物品の出し入れ、特に先入れ先出しが容易な収納部材を備えた台所用家具が提供される。すなわち、本発明は、システムキッチンのキャビネット等、フロアに設置される台所用家具の技術分野に広く好適である。
【図面の簡単な説明】
【００５９】
【図１】本発明の第１の実施の形態に係るシステムキッチンの斜視図である。
【図２】図１のＩＩ−ＩＩ線による断面図である。
【図３】図２のＩＩＩ−ＩＩＩ線による矢視図である。
【図４】フロアラックの底面を傾斜させた効果を説明するための断面図である。
【図５】フロアラックの底板の前端をキャビネットの底板より前方に突出させた効果を説明するための側面図であって、（ａ）は突出量が通常の場合、（ｂ）は突出量がほとんどない場合、そして、（ｃ）は突出量が大きい場合に対応する。
【図６】線状突起が設けられた底板の斜視図である。
【図７】点状突起が設けられた底板の斜視図である。
【図８】波状突起が設けられた底板の横断面図である。
【図９】線状突起にさらに線状仕切部が付加して設けられた底板の作用を説明するための横断面図である。
【図１０】第２の実施の形態に係るシステムキッチンにおけるフロアラックの断面図である。
【図１１】第３の実施の形態に係るシステムキッチンにおけるキャビネットの図２に相当する図である。
【図１２】フロアラックの従来例を示す図である。
【符号の説明】
【００６０】
１        システムキッチン（台所用家具）
２１      シンク用キャビネット（台所用家具本体）
２２      調理台用キャビネット（台所用家具本体）
２３，２３Ｇ，２３Ｈ    コンロ用キャビネット（台所用家具本体）
３３，３３Ａ，３３Ｂ，３３Ｇ    底板（台所用家具本体の底板）
３６，３６Ａ，３６Ｂ，３６Ｇ    フロアラック（収納部材）
３６Ｈ    ワゴン（収納部材）
３７，３７Ｇ，３７Ｈ    前板（収納部材の前板）
４４，４４Ａ〜４４Ｈ    底板（収納部材の底板）
４４Ｃ′〜４４Ｆ′      突起（摩擦低減用突起）
Ｗ        物品
【図１】
2005245573.tif 000003
【図２】
2005245573.tif 000004
【図３】
2005245573.tif 000005
【図４】
2005245573.tif 000006
【図５】
2005245573.tif 000007
【図６】
2005245573.tif 000008
【図７】
2005245573.tif 000009
【図８】
2005245573.tif 000010
【図９】
2005245573.tif 000011
【図１０】
2005245573.tif 000012
【図１１】
2005245573.tif 000013
【図１２】
2005245573.tif 000014